(57)【特許請求の範囲】
【請求項１】
帯鋸刃の背部を支持し案内する背部支持部材と、帯鋸刃の胴部を挟持して案内するための固定インサートブロック及び可動インサートブロックと、前記可動インサートブロックを前記固定インサートブロック側へ押圧するためのインサートブロック押圧手段とを備えた帯鋸刃案内装置による帯鋸刃の挟持方法であって、前記固定インサートブロックと可動インサートブロックとの間の間隙が開いた状態にあるときに、前記固定インサートブロックと可動インサートブロックとの間に帯鋸刃の胴部を配置すると共に前記帯鋸刃の背部を前記背部支持部材に当接し、複数の圧電素子を積層した圧電アクチュエータを作動して前記インサートブロック押圧手段を作動し、前記固定インサートブロックと可動インサートブロックとによって前記帯鋸刃を強固に挟持した後に少数の適数の圧電素子への電圧の印加を解除して、又は帯鋸刃の胴部の厚さに対応して、複数の圧電素子を積層した圧電アクチュエータにおいて予め設定された枚数の圧電素子に電圧を印加し、前記インサートブロック押圧手段を作動して、前記帯鋸刃の挟持力を弱く又は零にすることを特徴とする帯鋸刃案内装置による帯鋸刃の挟持方法。
【請求項２】
帯鋸刃の背部を支持し案内する背部支持部材と、帯鋸刃の胴部を挟持して案内するための固定インサートブロック及び可動インサートブロックと、前記可動インサートブロックを固定インサートブロック側へ押圧するためのインサートブロック押圧手段とを備えた帯鋸刃案内装置であって、前記インサートブロック押圧手段に押圧力を付与するためのアクチュエータは、複数の圧電素子を積層した圧電アクチュエータからなり、当該圧電アクチュエータにおける複数の圧電素子に電圧の印加するための電圧印加手段は、適数の圧電素子に対する電圧を印加自在であることを特徴とする帯鋸刃案内装置。
【発明の詳細な説明】
【技術分野】
【０００１】
本発明は、帯鋸盤における帯鋸刃案内装置による帯鋸刃挟持方法及び帯鋸刃案内装置に係り、さらに詳細には帯鋸刃案内装置に備えた固定インサートブロックと可動インサートブロックとによって帯鋸刃の胴部を挟持して案内する際、帯鋸刃における胴部の厚さが帯鋸刃の種類毎に変わる場合であっても、前記固定インサートブロックと可動インサートブロックとの間の間隙を常に適正な間隙に保持することができる帯鋸刃案内装置による帯鋸刃挟持方法及び帯鋸刃案内装置に関する。
【背景技術】
【０００２】
帯鋸盤には、竪型帯鋸盤と横型帯鋸盤とがあり、上記両帯鋸盤には、帯鋸刃でもってワークの切断を行うとき、ワークに近接した両側位置で帯鋸刃の胴部を挟持して案内する帯鋸刃案内装置が備えられている。上記帯鋸刃案内装置は、帯鋸刃の背部を支持し案内する背部支持部材と、帯鋸刃の胴部を挟持して案内するための固定インサートブロック及び可動インサートブロックと、前記可動インサートブロックを前記固定インサートブロック側へ押圧するためのインサートブロック押圧手段とを備えている。
【０００３】
従来、前記インサートブロック押圧手段は、偏心カムを回動して可動インサートブロックを押圧する構成や、小型の油圧シリンダによって可動インサートブロックを押圧する構成が一般的である。前記偏心カムを利用した構成においては、可動インサートブロックを固定インサートブロック側へ移動する位置は常に一定であるので、胴部の薄い帯鋸刃に対応して固定インサートブロックと可動インサートブロックとの間の間隙が適正間隙に設定してあると、胴部が厚い帯鋸刃の場合には、固定インサートブロックと可動インサートブロックとによって帯鋸刃の胴部を強固に挟持することがあるという問題がある。逆に、胴部が厚い帯鋸刃に対応して前記間隙を設定すると、胴部が薄い帯鋸刃の場合、帯鋸刃とインサートブロックとの間に大きな間隙を生じ、帯鋸刃が傾斜して切り曲りを生じ易いという問題がある。
【０００４】
小型の油圧シリンダによって可動インサートブロックを押圧する構成においては、帯鋸刃における胴部の厚さに拘わりなく、固定インサートブロックと可動インサートブロックとによって帯鋸刃の胴部を常に強固に挟持し案内する構成であるから、切曲りを抑制する効果はあるものの、両インサートブロックの摩耗が激しいと共に、帯鋸刃を駆動する動力が大きくなるという問題がある。
【０００５】
そこで、固定インサートブロックと可動インサートブロックとによって帯鋸刃の胴部を強固に挟持した後に、可動インサートブロックを僅かに戻すことが行われている（例えば特許文献１参照）。
【先行技術文献】
【特許文献】
【０００６】
【特許文献１】特開２００３−３４０６４０号公報
【発明の概要】
【発明が解決しようとする課題】
【０００７】
前記特許文献１に記載の構成は、可動インサートブロックを油圧シリンダによって固定インサートブロック側へ移動して、固定インサートブロックと可動インサートブロックとによって帯鋸刃の胴部を強固に挟持した後に、上記油圧シリンダ内の圧油をブースタの小シリンダ内に吸引して、可動インサートブロックを僅かに戻す構成である。したがって、帯鋸刃における胴部の厚さに拘わりなく固定インサートブロックと可動インサートブロックとの間の間隙を適正な間隙に保持することができる。
【０００８】
しかし、油圧回路にブースタを備える構成であるから、油圧回路の構成がそれだけ複雑であるという問題がある。
【課題を解決するための手段】
【０００９】
本発明は、上述のごとき従来の問題に鑑みてなされたもので、帯鋸刃の背部を支持し案内する背部支持部材と、帯鋸刃の胴部を挟持して案内するための固定インサートブロック及び可動インサートブロックと、前記可動インサートブロックを前記固定インサートブロック側へ押圧するためのインサートブロック押圧手段とを備えた帯鋸刃案内装置による帯鋸刃の挟持方法であって、前記固定インサートブロックと可動インサートブロックとの間の間隙が開いた状態にあるときに、前記固定インサートブロックと可動インサートブロックとの間に帯鋸刃の胴部を配置すると共に前記帯鋸刃の背部を前記背部支持部材に当接し、複数の圧電素子を積層した圧電アクチュエータを作動して前記インサートブロック押圧手段を作動し、前記固定インサートブロックと可動インサートブロックとによって前記帯鋸刃を強固に挟持した後に少数の適数の圧電素子への電圧の印加を解除して、又は帯鋸刃の胴部の厚さに対応して、複数の圧電素子を積層した圧電アクチュエータにおいて予め設定された枚数の圧電素子に電圧を印加し、前記インサートブロック押圧手段を作動して、前記帯鋸刃の挟持力を弱く又は零にすることを特徴とするものである。
【００１０】
また、帯鋸刃の背部を支持し案内する背部支持部材と、帯鋸刃の胴部を挟持して案内するための固定インサートブロック及び可動インサートブロックと、前記可動インサートブロックを固定インサートブロック側へ押圧するためのインサートブロック押圧手段とを備えた帯鋸刃案内装置であって、前記インサートブロック押圧手段に押圧力を付与するためのアクチュエータは、複数の圧電素子を積層した圧電アクチュエータからなり、当該圧電アクチュエータにおける複数の圧電素子に電圧の印加するための電圧印加手段は、適数の圧電素子に対する電圧を印加自在であることを特徴とするものである。
【発明の効果】
【００１１】
本発明によれば、複数の圧電素子を積層してなる圧電アクチュエータを作動して、固定インサートブロックと可動インサートブロックとによって帯鋸刃を強固に挟持した後、圧電アクチュエータにおける適数（少数）の圧電素子の印加を解除するものであるから、帯鋸刃の厚さに拘わりなく挟持力を弱く又は零にすることができるものである。
【図面の簡単な説明】
【００１２】
【図１】本発明の実施形態に係る帯鋸刃案内装置の構成を概念的、概略的に示した説明図である。
【図２】本発明の実施形態に係る帯鋸刃案内装置の動作説明図である。
【図３】本発明の実施形態に係る帯鋸刃案内装置の動作説明図である。
【発明を実施するための形態】
【００１３】
図１に示すように、本発明の実施形態に係る帯鋸刃案内装置１は、本体ブロック３を備えており、この本体ブロック３には、帯鋸刃５の背部を支持し案内する背部支持部材７が備えられている。また、前記本体ブロック３には、前記帯鋸刃５の胴部を挟持して案内するための固定インサートブロック９を一体的に支持した固定側アーム１１が備えられていると共に可動側アーム１３が前記固定側アーム１１に対向して備えられている。そして、この可動側アーム１３には、前記固定インサートブロック９との間に前記帯鋸刃５の胴部を挟持自在な可動インサートブロック１５が、固定インサートブロック９に対して接近離反する方向へ移動自在に備えられている。
【００１４】
すなわち、前記可動側アーム１３には、先端部を前記可動インサートブロック１５に一体的に連結したスライドロッド１７が摺動自在に支持されている。そして、このスライドロッド１７の基端部側に備えたフランジ部１７Ｆと前記可動側アーム１３との間には、前記可動インサートブロック１５を固定インサートブロック９から離反する方向へ付勢するためのコイルスプリングなどのごとき適宜の弾性部材１９が弾装してある。
【００１５】
したがって、常態においては、前記固定インサートブロック９と可動インサートブロック１５との間の間隙は、帯鋸刃５の着脱交換が容易であるように、比較的大きな間隔に開かれた状態にあるものである。
【００１６】
前記固定インサートブロック９から離反する方向に移動して、固定インサートブロック９と可動インサートブロック１５との間の間隙（間隔）を大きく開いた状態にある前記可動インサートブロック１５を固定インサートブロック９側へ押圧するために、前記本体ブロック３の側面には、インサートブロック押圧手段２１が備えられている。すなわち、前記本体ブロック３の側面に設けたブラケット２３に枢軸２５を介して揺動レバー２７が揺動（回動）自在に支持されており、この揺動レバー２７の先端部（下端部）が前記スライドロッド１７のフランジ部１７Ｆに当接してある。
【００１７】
そして、前記インサートブロック押圧手段２１としての前記揺動レバー２７に押圧力を付与するために、前記本体ブロック３にはアクチュエータ２９が備えられている。このアクチュエータ２９は、多数の圧電素子を積層して棒状に形成した圧電アクチュエータからなるものであって、棒状の軸心に平行な方向（圧電素子の積層方向）の変位を利用するものである。そして、上記圧電アクチュエータ２９には、電圧印加手段３１が接続してある。上記電圧印加手段３１は、前記圧電アクチュエータ２９の変位量を制御するもので、例えばダイヤル操作などによって多数積層された圧電素子の全て、または所望枚数の圧電素子に電圧を印加したり、電圧の印加を解除自在な構成である。
【００１８】
前記揺動レバー２７において、前記圧電アクチュエータ２９に対応した位置には、前記圧電アクチュエータ２９によって押圧される被押圧部材３３が備えられている。この被押圧部材３３は、例えば前記揺動レバー２７に螺着した調節ねじなどからなるものであって、前記揺動レバー２７から前記圧電アクチュエータ２９方向への突出長さを調節可能に構成してある。したがって、前記圧電アクチュエータ２９の変位量が小さい場合であっても、前記揺動レバー２７における下端部の動作範囲の位置を、図１において左右方向に調節することができるものである。
【００１９】
以上のごとき構成において、図１に示すように、固定インサートブロック９と可動インサートブロック１５との間の間隙が大きく開かれた状態にあるときに、上記間隙内に帯鋸刃５を挿入し、帯鋸刃５の背部を背部支持部材７に当接する。その後、圧電アクチュエータ２９における全ての圧電素子に電圧を印加すると、圧電アクチュエータ２９は大きく変位するので、可動インサートブロック１５は、揺動レバー２７を介して固定インサートブロック９側へ移動され、図２に示すように、前記固定インサートブロック９と可動インサートブロック１５とによって帯鋸刃５を強固に挟持する。
【００２０】
その後、電圧印加手段３１の制御の下に小数の適数の圧電素子への電圧の印加を解除すると、前記圧電アクチュエータ２９の変位量が小さくなるので、前記固定インサートブロック９と可動インサートブロック１５とによる帯鋸刃５の挟持力を弱く又は零にすることができる。
【００２１】
ところで、上記説明においては、圧電アクチュエータ２９における全ての圧電素子に電圧を印加して、固定インサートブロック９と可動インサートブロック１５とによって帯鋸刃５を強固に挟圧した後、小数の適数の圧電素子に対する電圧の印加を解除して、帯鋸刃５の挟持力を弱く又は零にする旨説明した。しかし、最初から所望枚数の圧電素子のみに電圧を印加して、最初から弱い挟持力で、又は挟持力零として固定インサートブロック９と可動インサートブロック１５でもって帯鋸刃５を挟持することも可能である。
【００２２】
すなわち、固定インサートブロック９と可動インサートブロック１５との間の間隔（間隙）を最大に開いた状態における上記間隔寸法が既知であり、また前記揺動レバー２７においてスライドロッド１７のフランジ部１７Ｆを押圧する位置から枢軸２５までの寸法及び前記被押圧部材３３から前記枢軸２５までの寸法が既知であり、さらに帯鋸刃５における胴部の厚さが既知であるから、前記圧電アクチュエータ２９において電圧を印加すべき圧電素子の枚数を設定し、この設定した圧電素子の枚数のみに電圧を印加して帯鋸刃５を弱い挟持力又は挟持力零として挟持することができるものである。
【００２３】
この場合、固定インサートブロック９と可動インサートブロック１５とによって帯鋸刃５の胴部を挟持したときの挟持力の許容範囲を、帯鋸刃５における胴部の厚さ毎に予め実験的に求めると共に、前記挟持力に対応して電圧を印加すべき圧電素子の枚数を予め求め、帯鋸刃５における胴部の厚さのデータ又は帯鋸刃５のデータと、挟持力のデータと、印加すべき圧電素子の枚数のデータとを関連付けて、電圧印加手段３１のメモリ（図示省略）に予め格納する。そして、使用する帯鋸刃５の胴部の厚さに対応して上記メモリから選択したデータに基づいて必要枚数の圧電素子に電圧を自動的に印加する構成とすることも可能である。
【００２４】
すなわち、前記電圧印加手段３１に帯鋸刃選択手段を備え、この帯鋸刃選択手段によって使用する帯鋸刃５を選択すると、前記メモリに格納されている該当するデータに基づいて圧電アクチュエータ２９を自動的作動し、前記固定インサートブロック９と可動インサートブロック１５とによる帯鋸刃５の挟持力、換言すれば両インサートブロック９，１５の間の間隙寸法を適正値とすることができるものである。
【００２５】
以上のごとき説明より理解されるように、帯鋸刃案内装置における可動インサートブロック１５を固定インサートブロック９方向へ移動して帯鋸刃５を、上記固定インサートブロック９と可動インサートブロック１５とによって挟持案内するとき、多数の圧電素子を積層した構成の圧電アクチュエータにおける所望枚数の圧電素子に電圧を印加することにより、両インサートブロック９，１５による挟持力又は両インサートブロック９，１５の間隙寸法を所望の適正な値とすることができるものである。すなわち、簡単な構成でもって帯鋸刃５を挟持するときの挟持力及び／又は両インサートブロック９，１５の間隙を容易に適正値に調節することができるものである。
【符号の説明】
【００２６】
１    帯鋸刃案内装置
３    本体ブロック
５    帯鋸刃
７    背部支持部材
９    固定インサートブロック
１５    可動インサートブロック
１７    スライドロッド
１７Ｆ    フランジ部
２１    インサートブロック押圧手段
２５    枢軸
２７    揺動レバー
２９    圧電アクチュエータ
３１    電圧印加手段
３３    被押圧部材
【図１】
0005427545.tif 000002
【図２】
0005427545.tif 000003
【図３】
0005427545.tif 000004